(57)【要約】【課題】  設置時に液体が液体を貯蔵する貯蔵器から漏れ出さず、家庭内の様々な場面で応用可能な液体供給機構の提供。【解決手段】  液体を貯蔵するとともに開口部を備える貯蔵器と、貯蔵器の開口部と連通するとともに上向きに開口する供給口と、供給口から流入した液体を一時的に蓄える収容部と、収容部から外部へ液体を供給する供給手段が設けられてなる受液器と、貯蔵器と受液器を、液体が流通可能なように接続する接続機構とからなり、接続機構が、開口部に止められるとともに上方へ押し上げ可能な弁体と、弁体を押し上げる突起部からなり、受液器の収容部が閉管状に形成されてなるとともに、供給手段が収容部底面に形成された開口部であり、開口部には収容部内の液体の流出及びその停止を制御する流出制御機構が設けられてなることを特徴とする液体供給機構である。【選択図】  図３
2006311866.tif 000002
【特許請求の範囲】
【請求項１】
液体を貯蔵するとともに開口部を備える貯蔵器と、
前記貯蔵器の開口部と連通するとともに上向きに開口する供給口と、該供給口から流入した液体を一時的に蓄える収容部と、該収容部から外部へ前記液体を供給する供給手段が設けられてなる受液器と、
前記貯蔵器と前記受液器を、前記液体が流通可能なように接続する接続機構とからなり、
前記接続機構が、前記開口部に止められるとともに上方へ押し上げ可能な弁体と、
前記弁体を押し上げる突起部からなり、
前記受液器の前記収容部が閉管状に形成されてなるとともに、
前記供給手段が、前記収容部底面に形成された開口部であり、
該開口部には前記収容部内の液体の流出及びその停止を制御する流出制御機構が設けられてなることを特徴とする液体供給機構。
【請求項２】
前記受液器は、その底部から下方に突出し、地面に埋設される棒状の固定具が設けられてなることを特徴とする請求項１記載の液体供給機構。
【請求項３】
前記貯蔵器の開口部から可撓性の管路が延出し、
該管路が前記供給口と接続し、
前記貯蔵器が、その底部若しくは側部から下方に突出し、地面に埋設される棒状の固定具を備えることを特徴とする請求項１記載の液体供給機構。
【請求項４】
前記受液器が、垂直に立設する壁面に固定するための固定手段を備えることを特徴とする請求項１記載の液体供給機構。
【請求項５】
前記貯蔵器が、前記液体供給機構を上方から吊下げ可能とする吊下手段を備えることを特徴とする請求項１記載の液体供給機構。
【請求項６】
前記受液器が、前記液体供給機構を上方から吊下げ可能とする吊下手段を備えることを特徴とする請求項１記載の液体供給機構。
【請求項７】
前記貯蔵器の開口部には下方に向かって狭まるテーパ管路を備えるアダプタが取り付けられ、
該アダプタは前記供給口に挿入され、
前記弁体が前記テーパ管路に挿入され、
前記突起部が前記収容部内部底面から立設するとともに、前記テーパ管路内に挿入可能であることを特徴とする請求項１記載の液体供給機構。
【請求項８】
前記管路先端には下方に向かって狭まるテーパ管路を備えるアダプタが取り付けられ、
該アダプタは前記供給口に挿入され、
前記弁体が前記テーパ管路に挿入され、
前記突起部が前記収容部内部底面から立設するとともに、前記テーパ管路内に挿入可能であることを特徴とする請求項３記載の液体供給機構。
【請求項９】
前記貯蔵器開口部から略円筒形状に形成された第１アダプタが挿入されるとともに、前記開口部で固定され、
前記第１アダプタに、下方に向かって狭まるテーパ管路を備えるとともに略円筒形状に形成された第２アダプタが挿入されるとともに軸回りに回転可能に取り付けられ、
前記第１アダプタ上部側面には所定数の第１導水穴が形成され、
前記第２アダプタ側面には前記第１導水穴と略等しい高さ位置に第２導水穴が形成され、
前記弁体が前記第２アダプタ内部に配されることを特徴とする請求項１記載の液体供給機構。
【請求項１０】
前記貯蔵器開口部に、一端有底筒状のアダプタがその開口部を下方に向けて取り付けられ、
該アダプタは下方に向かって狭まるテーパ管路と、
前記アダプタの側面には、前記テーパ管路と連通する導水穴が形成され、
前記アダプタ底部にはコイルバネが配設され、
該コイルバネが下方に向けて前記弁体を下方に付勢することを特徴とする請求項１記載の液体供給機構。
【請求項１１】
前記貯蔵器開口部及び前記収容部供給口は略直管状に形成され、
前記貯蔵器開口部は前記収容部供給口に外嵌され、
前記貯蔵器開口部外周面には外方に突出する少なくとも１つの突起部が形成され、前記収容部供給口内壁面には前記突起部に対応する溝部が形成され、
該溝部は前記貯蔵器を前記収容部に接続する際に前記突起部が通過するために収容部供給口軸方向に延びる縦溝部と、
前記縦溝部下端から延出するとともに前記収容部供給口内壁面周方向に延びる周溝部からなることを特徴とする請求項１０記載の液体供給機構。
【請求項１２】
前記アダプタが前記貯蔵器開口部内壁に形成された雌ねじ部と螺合することにより固定され、
前記貯蔵器開口部外壁には雄ねじ部が形成され、
該雄ねじ部が前記収容部供給口内壁に形成された雌ねじ部と螺合することにより前記貯蔵器が前記収容部と接続することを特徴とする請求項１０記載の液体供給機構。
【請求項１３】
前記供給手段が前記収容部と連通するチューブからなり、
該チューブ先端内壁部には雌ねじ部が形成され、
該雌ねじ部には、略円筒形状に形成されるとともに外周面に雄ねじ部が形成された導管部と先端を鋭角に形成された固定ヘッド部からなるプラグ部が前記雌ねじ部と雄ねじ部との螺合によって接続し、
前記導管部途中部には、前記チューブを通じて流下した液体を排出するための排出穴が形成されることを特徴とする請求項１記載の液体供給機構。
【請求項１４】
前記供給手段が前記収容部と連通するチューブからなり、
該チューブ先端が外周面に雄ねじ部を形成された先端部を備えるとともに、該先端部内部には前記チューブ先端に取付けられた紐体からの液体が流通可能な円形断面を備える流路が形成され、
前記雄ねじ部には、中空に形成されるとともに雌ねじ部が形成された一端有底筒状のキャップ部が螺合し、
前記キャップ部には該キャップ部の中空部と連通するとともに前記チューブを通じて流下した液体を排出するための排出穴が形成され、
前記キャップ部外側底部は先端を鋭角に形成された円錐或いは多角錐状の固定部が形成され、
前記キャップ部内側底部からは前記円形断面流路に挿入される円錐形状の突起部が設けられることを特徴とする請求項１記載の液体供給機構。
【請求項１５】
前記供給手段が前記収容部と連通するチューブからなり、
該チューブ先端に排出機構が設けられ、
該排出機構は上底部と下底部を備える中空の胴体部と、
前記胴体部から突出するとともに前記チューブ先端と接続し、該チューブ先端部からの液体を前記胴体部に流入可能とさせる接続部と、
前記胴体部内壁から突出する環状の絞り部と、
前記絞り部に貫入する円錐形状の貫入部と、
前記上底部と接続するとともに前記貫入部を上下に移動可能とする調整部と、
前記下底部外面から突出し地中へ埋設される固定部とからなり、
前記固定部には、前記胴体部内部と連通する管路が形成され、
前記固定部外周面には前記管路と連通するとともに前記胴体部内の液体を排出する排出穴が設けられてなることを特徴とする請求項１記載の液体供給機構。
【請求項１６】
前記流出制御機構が前記収容部開口部上方に配設されるコイルバネと、
前記コイルバネと接続するとともに前記開口部を貫く棒状の棒状部と、
該棒状部途中部に円板状に形成されるとともに前記開口部上方に配設される閉鎖部からなり、
前記コイルバネが下方に棒状部を付勢し、前記閉鎖部が前記開口部を閉止することを特徴とする請求項１記載の液体供給機構。
【請求項１７】
前記流出制御機構が下方に突出するとともに下方に向かって狭まるテーパ管路を備える排出管路と、
該排出管路内部に配される弁体と、
前記排出管路壁部に設けられた回転軸を支点に上下に回転可能に取付けられるとともに先端が前記弁体を下方から支持するアーム部と、
前記弁体を上方から下方に向けて付勢するコイルバネからなることを特徴とする請求項１記載の液体供給機構。
【請求項１８】
前記流出制御機構が、前記収容部側部から回転可能に挿入されるとともに挿入側先端が開口し、他端が閉じられた管状の回転管を備え、
該回転管は、その途中部に前記収容部底面に形成された開口部と位置が合致する回転開口部を備え、
前記回転管をその軸回りに回転させ、前記回転開口部が下方位置にきたとき前記収容部底面の開口部と一致し、下方に収容部内部の液体を排出可能となることを特徴とする請求項１記載の液体供給機構。
【請求項１９】
前記流出制御機構が前記収容部内部に形成される内部管路を備え、
該内部管路は前記開口部と連通し、
前記内部管路は更に、前記開口部と前記内部管路軸方向位置を同一とする開口部を備え、
前記内部管路内に一端部、前記内部管路外に他端部を備えるとともに前記内部管路軸方向に移動可能に取り付けられる制御棒が配設され、
前記一端部には前記内部管路壁面と摺動可能に密着するとともに前記制御棒の押出位置を定める栓部が設けられ、
前記他端部には前記制御棒の押し込み位置を定めるために径大に形成されたボタン部が形成され、
前記栓部は前記制御棒の前記押し込み位置において前記両開口部を開状態とするとともに前記押出位置において前記両開口部を閉状態とすることを特徴とする請求項１記載の液体供給機構。
【請求項２０】
前記流出制御機構が前記収容部内部に形成されるとともにその奥方において開口した内部管路を備え、
該内部管路は前記収容部底面の開口部と連通し、
前記内部管路内に一端部、前記内部管路外に他端部を備えるとともに前記内部管路軸方向に移動可能に取り付けられる制御棒が配設され、
前記一端部には前記内部管路壁面と摺動可能に密着するとともに前記制御棒の押出位置を定める栓部が設けられ、
前記他端部には前記制御棒の押し込み位置を定めるために径大に形成されたボタン部が形成され、
前記栓部は左右に貫通する流路を備えるとともに前記ボタン部側の面に膜状弁を備え、
前記制御棒が前記押し込み位置にあるとき前記膜状弁は前記栓部の流路を開状態とし、
前記制御棒が前記押出位置にあるとき前記膜状弁は前記ボタン部側の面と前記収容部壁面との間に挟まれ前記栓部の流路を閉状態とすることを特徴とする請求項１記載の液体供給機構。
【請求項２１】
前記栓部の前記内部管路奥方側端面がコイルバネと接続し、
該コイルバネは前記栓部を介して前記制御棒を収容部外方へ付勢することを特徴とする請求項１９又は２０記載の液体供給機構。
【請求項２２】
前記流出制御機構が、前記開口部に回転自在に取り付けられた球体状の球体部からなることを特徴とする請求項１記載の液体供給機構。
【請求項２３】
前記収容部上部に空気穴が形成されることを特徴とする請求項１記載の液体供給機構。
【請求項２４】
前記空気穴が上方へ向かって立設する管状に形成され、該管状の空気穴途中部に膜状弁が配設され、該膜状弁の一端が水平状態と該水平状態から傾斜した状態との間を、他端部を軸として回動可能とされることを特徴とする請求項２３記載の液体供給機構。
【発明の詳細な説明】
【技術分野】
【０００１】
本発明は、日常生活において利用される生活物品を利用して、簡便に液体を供給することが可能な液体供給機構に関する。特に、該液体供給機構は、植物への灌水、ペットへの水分供給、身体或いは風呂場等の屋内を洗浄するための洗浄液及び醤油やソースといった液体調味料の供給を不要となった生活物品を利用して簡便に行うことを可能とする。
【背景技術】
【０００２】
近年の液体収納容器の技術進歩に伴い、例えばペットボトルに代表されるように、使い捨て可能な液体収容容器が市場に出回るようになってきた。この結果、数多くの液体収容容器が日常生活から排出され、投棄されることとなっている。
このことは、日常生活を便利にする一方で、深刻な廃棄物処理問題を生じさせている原因ともなっている。したがって、日常生活から生じる不要な生活物品を減じるために、様々なリサイクル方法が提案されている。
【０００３】
特許文献１には、ペットボトルを利用して、自動的に植物に水分を供給するための液体供給機構が提案されている。該液体供給機構は、本明細書中、図２６に示されている。
図２６に示す液体供給機構（Ａ）は、ペットボトルを利用した貯蔵器（Ｂ）と毛細管現象により水を少量ずつ灌水する導水管（Ｃ）が複数配設された配水管部（Ｄ）とからなるものである。
【０００４】
【特許文献１】実開昭４９−８９２２５号公報
【発明の開示】
【発明が解決しようとする課題】
【０００５】
図２６に示すような液体供給機構（Ａ）は、ペットボトルを家庭内において利用可能とし、ペットボトルを再利用可能とするものの、液体供給機構（Ａ）設置時において次のような不便を生ずるものであった。
まず、設置時において、ペットボトル内の水分を配水管部（Ｄ）に供給するためにペットボトル口部を下方に向けねばならず、このときペットボトル内部の水分が流下し、使用者並びに使用者周辺を汚すものとなる。図２６に示す液体供給機構（Ａ）は水分供給以外にも使用可能であり、植物用の液状薬剤や液体肥料も供給可能であるが、このような液状物を供給しようとする際には、この設置時の汚染の問題は深刻である。例えば、液体肥料が使用者の身体に付着した場合には、その付着した皮膚に炎症を生じたりするものとなる。
本発明は上記実情を鑑みてなされたものであって、設置時に液体が液体を貯蔵する貯蔵器から漏れ出さず、家庭内の様々な場面で応用可能な液体供給機構を提供することを目的とする。
【課題を解決するための手段】
【０００６】
請求項１記載の発明は、液体を貯蔵するとともに開口部を備える貯蔵器と、前記貯蔵器の開口部と連通するとともに上向きに開口する供給口と、該供給口から流入した液体を一時的に蓄える収容部と、該収容部から外部へ前記液体を供給する供給手段が設けられてなる受液器と、前記貯蔵器と前記受液器を、前記液体が流通可能なように接続する接続機構とからなり、前記接続機構が、前記開口部に止められるとともに上方へ押し上げ可能な弁体と、前記弁体を押し上げる突起部からなり、前記受液器の前記収容部が閉管状に形成されてなるとともに、前記供給手段が、前記収容部底面に形成された開口部であり、該開口部には前記収容部内の液体の流出及びその停止を制御する流出制御機構が設けられてなることを特徴とする液体供給機構である。
【０００７】
請求項２記載の発明は、前記受液器は、その底部から下方に突出し、地面に埋設される棒状の固定具が設けられてなることを特徴とする請求項１記載の液体供給機構である。
請求項３記載の発明は、前記貯蔵器の開口部から可撓性の管路が延出し、該管路が前記供給口と接続し、前記貯蔵器が、その底部若しくは側部から下方に突出し、地面に埋設される棒状の固定具を備えることを特徴とする請求項１記載の液体供給機構である。
請求項４記載の発明は、前記受液器が、垂直に立設する壁面に固定するための固定手段を備えることを特徴とする請求項１記載の液体供給機構である。
請求項５記載の発明は、前記貯蔵器が、前記液体供給機構を上方から吊下げ可能とする吊下手段を備えることを特徴とする請求項１記載の液体供給機構である。
請求項６記載の発明は、前記受液器が、前記液体供給機構を上方から吊下げ可能とする吊下手段を備えることを特徴とする請求項１記載の液体供給機構である。
【０００８】
請求項７記載の発明は、前記貯蔵器の開口部には下方に向かって狭まるテーパ管路を備えるアダプタが取り付けられ、該アダプタは前記供給口に挿入され、前記弁体が前記テーパ管路に挿入され、前記突起部が前記収容部内部底面から立設するとともに、前記テーパ管路内に挿入可能であることを特徴とする請求項１記載の液体供給機構である。
請求項８記載の発明は、前記管路先端には下方に向かって狭まるテーパ管路を備えるアダプタが取り付けられ、該アダプタは前記供給口に挿入され、前記弁体が前記テーパ管路に挿入され、前記突起部が前記収容部内部底面から立設するとともに、前記テーパ管路内に挿入可能であることを特徴とする請求項３記載の液体供給機構である。
【０００９】
請求項９記載の発明は、前記貯蔵器開口部から略円筒形状に形成された第１アダプタが挿入されるとともに、前記開口部で固定され、前記第１アダプタに、下方に向かって狭まるテーパ管路を備えるとともに略円筒形状に形成された第２アダプタが挿入されるとともに軸回りに回転可能に取り付けられ、前記第１アダプタ上部側面には所定数の第１導水穴が形成され、前記第２アダプタ側面には前記第１導水穴と略等しい高さ位置に第２導水穴が形成され、前記弁体が前記第２アダプタ内部に配されることを特徴とする請求項１記載の液体供給機構である。
請求項１０記載の発明は、前記貯蔵器開口部に、一端有底筒状のアダプタがその開口部を下方に向けて取り付けられ、該アダプタは下方に向かって狭まるテーパ管路と、前記アダプタの側面には、前記テーパ管路と連通する導水穴が形成され、前記アダプタ底部にはコイルバネが配設され、該コイルバネが下方に向けて前記弁体を下方に付勢することを特徴とする請求項１記載の液体供給機構である。
【００１０】
請求項１１記載の発明は、前記貯蔵器開口部及び前記収容部供給口は略直管状に形成され、前記貯蔵器開口部は前記収容部供給口に外嵌され、前記貯蔵器開口部外周面には外方に突出する少なくとも１つの突起部が形成され、前記収容部供給口内壁面には前記突起部に対応する溝部が形成され、該溝部は前記貯蔵器を前記収容部に接続する際に前記突起部が通過するために収容部供給口軸方向に延びる縦溝部と、前記縦溝部下端から延出するとともに前記収容部供給口内壁面周方向に延びる周溝部からなることを特徴とする請求項１０記載の液体供給機構である。
請求項１２記載の発明は、前記アダプタが前記貯蔵器開口部内壁に形成された雌ねじ部と螺合することにより固定され、前記貯蔵器開口部外壁には雄ねじ部が形成され、
該雄ねじ部が前記収容部供給口内壁に形成された雌ねじ部と螺合することにより前記貯蔵器が前記収容部と接続することを特徴とする請求項１０記載の液体供給機構である。
【００１１】
請求項１３記載の発明は、前記供給手段が前記収容部と連通するチューブからなり、該チューブ先端内壁部には雌ねじ部が形成され、該雌ねじ部には、略円筒形状に形成されるとともに外周面に雄ねじ部が形成された導管部と先端を鋭角に形成された固定ヘッド部からなるプラグ部が前記雌ねじ部と雄ねじ部との螺合によって接続し、前記導管部途中部には、前記チューブを通じて流下した液体を排出するための排出穴が形成されることを特徴とする請求項１記載の液体供給機構である。
請求項１４記載の発明は、前記供給手段が前記収容部と連通するチューブからなり、該チューブ先端が外周面に雄ねじ部を形成された先端部を備えるとともに、該先端部内部には前記チューブ先端に取付けられた紐体からの液体が流通可能な円形断面を備える流路が形成され、前記雄ねじ部には、中空に形成されるとともに雌ねじ部が形成された一端有底筒状のキャップ部が螺合し、前記キャップ部には該キャップ部の中空部と連通するとともに前記チューブを通じて流下した液体を排出するための排出穴が形成され、前記キャップ部外側底部は先端を鋭角に形成された円錐或いは多角錐状の固定部が形成され、前記キャップ部内側底部からは前記円形断面流路に挿入される円錐形状の突起部が設けられることを特徴とする請求項１記載の液体供給機構である。
請求項１５記載の発明は、前記供給手段が前記収容部と連通するチューブからなり、該チューブ先端に排出機構が設けられ、該排出機構は上底部と下底部を備える中空の胴体部と、前記胴体部から突出するとともに前記チューブ先端と接続し、該チューブ先端部からの液体を前記胴体部に流入可能とさせる接続部と、前記胴体部内壁から突出する環状の絞り部と、前記絞り部に貫入する円錐形状の貫入部と、前記上底部と接続するとともに前記貫入部を上下に移動可能とする調整部と、前記下底部外面から突出し地中へ埋設される固定部とからなり、前記固定部には、前記胴体部内部と連通する管路が形成され、前記固定部外周面には前記管路と連通するとともに前記胴体部内の液体を排出する排出穴が設けられてなることを特徴とする請求項１記載の液体供給機構である。
【００１２】
請求項１６記載の発明は、前記流出制御機構が前記収容部開口部上方に配設されるコイルバネと、前記コイルバネと接続するとともに前記開口部を貫く棒状の棒状部と、該棒状部途中部に円板状に形成されるとともに前記開口部上方に配設される閉鎖部からなり、前記コイルバネが下方に棒状部を付勢し、前記閉鎖部が前記開口部を閉止することを特徴とする請求項１記載の液体供給機構である。
請求項１７記載の発明は、前記流出制御機構が下方に突出するとともに下方に向かって狭まるテーパ管路を備える排出管路と、該排出管路内部に配される弁体と、前記排出管路壁部に設けられた回転軸を支点に上下に回転可能に取付けられるとともに先端が前記弁体を下方から支持するアーム部と、前記弁体を上方から下方に向けて付勢するコイルバネからなることを特徴とする請求項１記載の液体供給機構である。
請求項１８記載の発明は、前記流出制御機構が、前記収容部側部から回転可能に挿入されるとともに挿入側先端が開口し、他端が閉じられた管状の回転管を備え、該回転管は、その途中部に前記収容部底面に形成された開口部と位置が合致する回転開口部を備え、前記回転管をその軸回りに回転させ、前記回転開口部が下方位置にきたとき前記収容部底面の開口部と一致し、下方に収容部内部の液体を排出可能となることを特徴とする請求項１記載の液体供給機構である。
請求項１９記載の発明は、前記流出制御機構が前記収容部内部に形成される内部管路を備え、該内部管路は前記開口部と連通し、前記内部管路は更に、前記開口部と前記内部管路軸方向位置を同一とする開口部を備え、前記内部管路内に一端部、前記内部管路外に他端部を備えるとともに前記内部管路軸方向に移動可能に取り付けられる制御棒が配設され、前記一端部には前記内部管路壁面と摺動可能に密着するとともに前記制御棒の押出位置を定める栓部が設けられ、前記他端部には前記制御棒の押し込み位置を定めるために径大に形成されたボタン部が形成され、前記栓部は前記制御棒の前記押し込み位置において前記両開口部を開状態とするとともに前記押出位置において前記両開口部を閉状態とすることを特徴とする請求項１記載の液体供給機構である。
請求項２０記載の発明は、前記流出制御機構が前記収容部内部に形成されるとともにその奥方において開口した内部管路を備え、該内部管路は前記収容部底面の開口部と連通し、前記内部管路内に一端部、前記内部管路外に他端部を備えるとともに前記内部管路軸方向に移動可能に取り付けられる制御棒が配設され、前記一端部には前記内部管路壁面と摺動可能に密着するとともに前記制御棒の押出位置を定める栓部が設けられ、前記他端部には前記制御棒の押し込み位置を定めるために径大に形成されたボタン部が形成され、前記栓部は左右に貫通する流路を備えるとともに前記ボタン部側の面に膜状弁を備え、前記制御棒が前記押し込み位置にあるとき前記膜状弁は前記栓部の流路を開状態とし、前記制御棒が前記押出位置にあるとき前記膜状弁は前記ボタン部側の面と前記収容部壁面との間に挟まれ前記栓部の流路を閉状態とすることを特徴とする請求項１記載の液体供給機構である。
請求項２１記載の発明は、前記栓部の前記内部管路奥方側端面がコイルバネと接続し、該コイルバネは前記栓部を介して前記制御棒を収容部外方へ付勢することを特徴とする請求項１９又は２０記載の液体供給機構である。
請求項２２記載の発明は、前記流出制御機構が、前記開口部に回転自在に取り付けられた球体状の球体部からなることを特徴とする請求項１記載の液体供給機構である。
請求項２３記載の発明は、前記収容部上部に空気穴が形成されることを特徴とする請求項１記載の液体供給機構である。
請求項２４記載の発明は、前記空気穴が上方へ向かって立設する管状に形成され、該管状の空気穴途中部に膜状弁が配設され、該膜状弁の一端が水平状態と該水平状態から傾斜した状態との間を、他端部を軸として回動可能とされることを特徴とする請求項２３記載の液体供給機構である。
【発明の効果】
【００１３】
請求項１記載の発明によれば、貯蔵器開口部を下方に向けたときに、弁体が貯蔵器の開口部を塞ぎ、貯蔵器からの液体の流下を堰き止めるので、貯蔵器を据付ける際の液体による汚染が防止でき、簡便に且つ衛生的に取扱い可能な液体供給機構となる。
また貯蔵器には飲料用ペットボトルや液体洗剤用ボトルといった生活物品を使用できるので、リサイクルの用に供するものとなる。
更に、流出制御機構により収容部からの液体の流出及びその停止を制御可能になり、所望に応じて収容部から液体を取り出すことができる。
【００１４】
請求項２記載の発明によれば、地面に埋設される固定具により、液体供給機構が地上に安定して固定される。したがって、屋外用の植物への液体供給機構として本発明に係る液体供給機構を使用したときに、風により飛ばされたりすることがない。
請求項３記載の発明によれば、貯蔵器と受液器とが可撓性の管路を介して接続されるので、これらを別々に地上に設置可能である。したがって、大容積の貯蔵器を受液器上方に配する必要がなく、安定性に優れるとともに長期間にわたって液体を供給可能な液体供給機構となる。
また貯蔵器に取り付けられた固定具により貯蔵器が地面に安定して固定されるので、貯蔵器内部の液体量が少なくなっても、貯蔵器が風により飛ばされることがない。
請求項４記載の発明によれば、液体供給機構を壁面に設置できる。したがって、液体供給機構を浴室壁面に設置することが可能となり、身体用の液体洗浄液を収容するとともに提供する洗浄液供給装置として利用可能となる。
或いは、台所壁面に取り付け、貯蔵器内に醤油等の液体調味料を収容することで、調味料供給装置としての用に供することができる。
或いは、任意の屋外に設けられた壁面に取り付け可能となり、例えば、オートキャンプ場などの簡易水道の用に供することが可能となる。
請求項５及び６記載の発明によれば、木の枝から液体供給機構を吊下げることができ、木に液体を供給可能となる。
或いは任意の壁面から突出した釘等の突起部から液体供給機構を吊下げることができ、例えば浴室壁面に液体供給機構を吊下げ、貯蔵器に洗浄液を貯蔵することにより洗浄液供給装置としての用に供されることが可能となる。
【００１５】
請求項７及び８記載の発明によれば、貯蔵器からの液体を排出する排出口となるアダプタ先端が下方に向けられた状態において、弁体がアダプタ部先端を塞ぐので、貯蔵器と受液器接続時に貯蔵器から液体が漏出することがない。また、アダプタ部を受液器供給口に挿入するにともなって、弁体が押し上げられるので、早急に収容部内に液体が供給可能である。
請求項９記載の発明によれば、貯蔵器設置時において、第１導水穴と第２導水穴をずらすことによって、貯蔵器からの液体の漏出を防ぐことができる。また、貯蔵器設置後において、貯蔵器を回転させ、第１導水穴と第２導水穴との位置を合わせることにより所望に応じて収容部に液体を供給可能となる。
請求項１０記載の発明によれば、コイルバネにより弁体がアダプタ内部先端に押付けられるので、貯蔵器設置時の貯蔵器からの液体漏出が確実に防がれる。
【００１６】
請求項１１記載の発明によれば、突起部が溝部と噛合うので、圧縮変形されたコイルバネの反発力により貯蔵器が受液器から押し出されることがなく、安定して貯蔵器を受液器上に設置できる。
請求項１２記載の発明によれば、ねじ部同士の螺合によって、圧縮変形されたコイルバネの反発力により貯蔵器が受液器から押し出されることがなく、安定して貯蔵器を受液器上に設置できる。
【００１７】
請求項１３記載の発明によれば、紐体先端を対象物たる植物の根元に安定して固定可能となる。
請求項１４及び１５記載の発明によれば、キャップ部から流出する液体流量を調整可能となる。
【００１８】
請求項１６の発明によれば、棒状部の操作によって、所望に応じて収容部内の液体を取り出すことが可能となる。また、コイルバネによって、自動的に制御棒が閉位置に至るので、操作性に優れた液体供給機構となる。
請求項１７記載の発明によれば、アーム部の操作によって、所望に応じて収容部内の液体を取り出すことができる。
請求項１８記載の発明によれば、回転管の操作によって、所望に応じて収容部内の液体を取り出すことが可能となる。
請求項１９及び２０記載の発明によれば、制御棒の操作によって、所望に応じて収容部内の液体を取り出すことが可能となる。
請求項２１記載の発明によれば、コイルバネによって、自動的に制御棒が閉位置に至るので、操作性に優れた液体供給機構となる。
請求項２２記載の発明によれば、球体部周面に液体が付着して供給される。したがって、比較的高い粘度を備える液体を対象物に塗布するときに好適な液体供給機構となる。
請求項２３記載の発明によれば、貯蔵器から収容部内へ液位を一定にして液体が供給されることとなる。
請求項２４記載の発明によれば、貯蔵器内の内圧が高まったときにおいても、弁体により、空気穴から液体が漏出することがない。
【発明を実施するための最良の形態】
【００１９】
以下、本発明に係る液体供給機構の実施形態について、図を参照しつつ説明する。図１は第１の実施形態を示す。第１の実施形態は、本発明に係る液体供給機構を植物への水分補給のための自動潅水装置として用いられる形態を例示して説明するが、本実施形態はこの使用形態に限られるものではなく、液体肥料の供給或いは植物用の液体薬剤投与のために用いられてもよい。
本発明に係る液体供給機構（１）は、貯蔵器（２）と貯蔵器（２）下方に配設された受液器（３）を備える。
貯蔵器（２）は、一端部に開口部を備える瓶形状のものが用いられるが、不要となった生活物品の再利用を促す目的として、使用済みの飲料用ペットボトルや液体洗剤パッケージボトルなどが好適に使用可能である。設置時において、貯蔵器（２）は開口部を下方に向けて、受液器（３）と連結される。
貯蔵器（２）の開口部は設置状態において、下方に狭まる管状部として、液体を収容する貯蔵器（２）の胴体部と一体に形成してもよいが、図１に示す例の如く、貯蔵器（２）と着脱自在に取付可能なアダプタ部（４）を用いることが好ましい。貯蔵器（２）と別体に設けられたアダプタ部（４）を用いることで、貯蔵器（２）の洗浄、貯液及び設置といった液体供給のための準備作業を容易に行うことが可能となる。
図１に示す例において、貯蔵器（２）内には水が貯蔵されているが、液体肥料や植物用の液体薬剤などを目的に応じて貯蔵してもよい。
【００２０】
受液器（３）は、上向きに開口する供給口（３２）と、貯蔵器（２）から供給口（３２）を介して流入する液体を一時的に蓄える収容部（３１）を備える。
収容部（３１）の形状は、中空であれば特に限定されず、円管状、四角柱或いは円柱等の外形形状を適宜採用可能であり、所望であれば、動物等をあしらった形状とすることも可能である。
供給口（３２）は収容部（３１）の上部から立設した管状の部分であり、貯蔵器（２）に取り付けられたアダプタ部（４）を外嵌する。
【００２１】
アダプタ部（４）は、貯蔵器（２）に設けられたねじ部と螺合する取付部（４１）と、取付部（４１）下面から下方に向かって延出する管部（４２）からなる。図１に示す例において、管路（４２）はその外径及び内径が下方に向かって狭まるテーパ管形状をしている。管路（４２）外径を取付部（４１）からの距離に応じて低減させることで、アダプタ部（４）が受液器（３）の供給口（３２）に円滑に挿入される。尚、管路（４２）の外形をテーパ形状としなくともよく、直管状の外形とすることで、供給口（３２）内壁と管路（４２）外壁との接触面を増やすことができ、貯蔵器（２）の受液器（３）上への取り付け安定性を増すことができる。図１に示す例において、テーパ状の外形を備える管路（４２）途中部分が供給口（３２）先端と当接し、その位置で貯蔵器（２）は受液器（３）上に固定される。
【００２２】
図１に示す例において、受液器（３）は全体的に壁面で囲まれた内部空間を備える閉管状に形成され、その上部に少なくとも１つの空気穴（３３）を備える（図１において、２つの空気穴（３３）が示されている）。
空気穴（３３）は、貯蔵器（２）から収容部（３１）内に液体が供給されている間、収容部（３１）内部の空気を収容部（３１）外へ排出可能とし、貯蔵器（２）から収容部（３１）内への液体供給を円滑にする。
貯蔵器（２）から収容部（３１）内への液体流入は、収容部（３１）内の液位がアダプタ部（４）の管路（４２）の下端部（４２１）に達したときに、貯蔵器（２）内の圧力と収容部（４２）内の圧力均衡により、自動的に停止する。
このようにして、収容部（３１）内には一定の液位で液体が蓄えられる。
尚、空気穴（３３）を覆うように、網体を取り付けてもよい。網体を取付けることにより空気穴（３３）から蚊などの害虫が侵入することを防ぐことができ、収容部（３１）内の衛生を保つことが可能となる。
【００２３】
接続機構（５）は、アダプタ部（４）内に配される弁体（５１）と収容部（３１）内部底面から上方に立設する突起部（５２）からなる。
図１に示す弁体（５１）は球状であるが、アダプタ部（４）の管路（４２）断面積形状に応じた平板状に形成されてもよい。
弁体（５１）直径はアダプタ部（４）の管路（４２）下端部の内径よりも大きく形成され、管路（４２）下部において管路（４２）内壁により下方への移動を妨げられるように形成される。これにより、貯蔵器（２）の開口部を下方に向けて設置するときに、弁体（５１）が貯蔵器（２）内部に貯蔵された液体の流路を遮断し、設置時の貯蔵器（２）からの液体漏出を防止するものとなる。
尚、弁体（５１）は使用される液体よりも大きな比重を備える材料から形成される。
【００２４】
突起部（５２）は、収容部（３１）内部底面より立設し、その先端は管状の供給口（３２）途中部まで達している。
貯蔵器（２）に取り付けられたアダプタ部（４）が供給口（３２）に挿入されると、アダプタ部（４）の管路（４２）内に配設された弁体（５１）が突起部（５２）によって、アダプタ部（４）の管路（４２）に対して相対的に押し上げられる。
この結果、管路（４２）と弁体（５１）との間に隙間が形成され、該隙間を通じて、貯蔵器（２）内に貯蔵された液体は、収容部（３１）内に流下するものとなる。
このようにして、接続機構（５）は貯蔵器（２）内の液体を受液器（３）内に流通可能にする。
【００２５】
図１に示す液体供給機構（１）は、紐体（６１）からなる供給手段（６）を備える。収容部（３１）上部には紐体（６１）が挿通する穴部が形成され、該穴部を介して、紐体（６１）の一端部が、収容部（３１）内に配され、他端が収容部（３１）外に配設される。紐体（６１）は毛細管現象により、収容部（３１）内にある液体を収容部（３１）外へ排出する。
紐体（６１）の両端部を除いて、紐体（６１）は紐体（６１）外周面を覆う被覆部（６２）を備えている。被覆部（６２）は、紐体（６１）を通じて収容部（３１）外へ排出される間の液体の蒸発を防ぐとともに、紐体（６１）の腐食、損傷及び劣化を防ぐ。尚、被覆部（６２）は、耐候性を備える樹脂で形成されることが好ましい。
収容部（３１）外部にある紐体（６１）の端部は所望の植物の根元に配され、該植物に水分や養分を供給する。
【００２６】
受液器（３）の外側底部から下方に向かって、固定具（７）が突出している。固定具（７）は棒状であり、土中に埋設される。固定具（７）によって、液体供給機構（１）は確実に地面に固定され、転倒や不測の移動が防がれる。
【００２７】
図２は、図１に示す液体供給機構（１）の変更形態であり、貯蔵器（２）及び貯蔵器（２）と受液器（３）との接続形態が異なる。その他構成は、図１に関連して説明した構成と同様である。
図１に示す液体供給機構（１）は、飲料用ペットボトル程度の大きさの貯蔵器（２）を用いる場合に好適であったが、本発明においては更に大きな貯蔵器（２）を使用することも可能である。図２に示す例においては、灯油等を備蓄するためのポリ容器が貯蔵器（２）として示されている。尚、本発明においては、灯油備蓄用のポリ容器に限定されず、多様な種類の容器が適用可能である。
図２の液体供給機構に用いられる貯蔵器（２）は地面に直接載置される。貯蔵器（２）は略直方体であり且つ中空である。貯蔵器（２）上部には、貯蔵器（２）内部に液体を供給するための蓋部（２１）を備える。蓋部（２１）を貯蔵器（２）から取外すことにより、外部から貯蔵器（２）内へ所望の液体を供給可能となる。蓋部（２１）には小孔（図示せず）が設けられ、貯蔵器（２）から受液器（３）への液体供給動作を円滑に行うことを可能としている。
【００２８】
貯蔵器（２）はその側部或いは底部に固定具（２２）を備える。固定具（２２）は、地面に埋設され、地面上に載置される貯蔵器（２）を固定し、転倒を防止する。
固定具（２２）が貯蔵器（２）に配設される場合は、予め地面に固定具（２２）を挿入可能な穴を形成し、該穴に固定具（２２）を挿入することによって、貯蔵器（２）を地面上に載置固定可能となる。
固定具（２２）が貯蔵器（２）側部に配される場合は、貯蔵器（２）を地面上に載置した後、貯蔵器（２）側部にある地面に固定具（２２）が挿入可能な穴を形成し、該穴に固定具（２２）を挿入した後、固定具（２２）を貯蔵器（２）側部に取り付ければよい。
【００２９】
貯蔵器（２）の側面には開口部が設けられ、該開口部から可撓性の管路（２３）が延出し、管路（２３）先端には、図１で示したものと同じ構造のアダプタ部（４）が配設される。
アダプタ部（４）は、図１に関連して説明したものと同様に、受液器（３）の供給口（３２）に挿入されている。
このように大型の貯蔵器（２）を用いる場合には、貯蔵器（２）を直接地面上に載置することにより、高い安定性を備える液体供給機構（１）を構築可能となる。
【００３０】
図３は、図１に示す液体供給機構（１）の他の変更形態を示す図である。図３に示す液体供給機構（１）は、図１の液体供給機構（１）の固定具（７）と受液器（３）との接続形態並びに供給手段（６）の形態が異なるのみで、他の形態は同様である。
図３に示す液体供給機構（１）は、土中に埋設された棒状の固定具（７）上端と接続する平板状の安定板（７１）を備える。安定板（７１）上面からは棒状のスペーサ（７２）が立設し、スペーサ（７２）の上端は受液器（３）外側底部と接続している。このようにして、受液器（３）は地面から空間を空けて配設される。
【００３１】
安定板（７１）下面は地表に当接し、受液器（３）並びに貯蔵器（２）が上方に配設されても、安定性を損なうことなく、液体供給機構（１）の転倒を防止する。
スペーサ（７２）は、受液器（３）を所望の高さに配設するために用いられる。形状は特に限定されるものではなく、円柱、角柱など所望の形状が採用可能であり、動物を模った形態のものであってもよい。
【００３２】
このようにして、受液器（３）は地面から離れて所定の高度で配設されるので、供給手段（６）は受液器（３）底部から延設可能となる。したがって、供給手段（６）に紐体（６１）を用いる必要はなく、可撓性チューブ（６４）を用いて、重力作用により収容部（３１）内の液体を所定位置に供給可能である。
尚、図３において、飲料用ペットボトル大の貯蔵器（２）が用いられているが、これに限られるものではなく、図２に示すような大型の貯蔵器（２）を用いてもよい。
【００３３】
図４は、図１に示す液体供給機構（１）に用いられた供給手段（６）の変更形態を示す図である。図４（ａ）は分解正面図であり、図４（ｂ）は供給手段（６）先端方向から見た図である。
図１に示す液体供給機構（１）の供給手段（６）は、紐体（６１）がその先端において露出する形態であったが、図４に示す如く、植物根元側に配設される紐体（６１）端部にキャップ部（６３）が配設してもよい。
キャップ部（６３）は一端有底筒状をしており、底部は鋭角な円錐或いは角錐形状とされる。キャップ部（６３）内部に紐体（６１）先端を挿入し、被覆部（６２）端部とキャップ部（６３）開口端部を接続させることにより、紐体（６１）の露出が完全に防がれる。これにより、紐体（６１）の腐食、劣化等の問題が解決される。またキャップ部（６３）底部が鋭角な円錐或いは角錐形状とされるので、地面への固定が確実なものとなる。
円錐或いは角錐に形成されたキャップ部（６３）底部には、少なくとも１つの排出穴（６３１）が設けられる。
このような形態の供給手段（６）において、図１に示す液体供給機構（１）と同様に、紐体（６１）は収容部（３１）内の液体を毛細管現象により、先端部へ送り出す。紐体（６１）先端に至った液体は、キャップ部（６）内部に滴下し、排出穴（６３１）から外部の植物等対象物の根元に該液体を排出する。
【００３４】
図５は、図３で示す液体供給機構（１）で用いられる管状の供給機構（６）の形態を示し、図５（ａ）乃至図５（ｅ）はそれぞれ異なる形態を示している。
図５（ａ）は、収容部（３１）に連通するチューブ（６４）の先端部に紐体（６１）を取り付けた形態である。収容部（３１）に蓄えられた液体は、チューブ（６４）内を通り、先端に配された紐体（６１）に浸透する。そして紐体（６１）から微量ずつ外部に液体が排出される。尚、図５（ａ）に示す形態において、先端の紐体（６１）に図４に示すキャップ部（６３）を取り付けてもよい。
【００３５】
図５（ｂ）は、収容部（３１）に連通するチューブ（６４）とチューブ（６４）先端部に取付けられるプラグ部（６５）からなる。
チューブ（６４）先端部内壁面には雌ねじ部（６４１）が形成されている。
プラグ部（６５）は、円筒形状であって、外周面に雄ねじ部（６５２）を備える導管部（６５１）と、先端が鋭角な円錐或いは角錐形状に形成された固定ヘッド部（６５３）からなる。雄ねじ部（６５２）は雌ねじ部（６４１）と螺合し、プラグ部（６５）がチューブ（６４）先端部と接続する。
導管部（６５１）途中部には排出穴（６３１）が形成される。チューブ（６４）を伝って流下し、プラグ部（６５）へ至った液体は排出穴（６３１）から排出される。
固定ヘッド部（６５３）は所望の植物の根元付近の地面に差し込まれる。このようにして供給手段（６）が地面に固定される。
尚、雌ねじ部（６４１）を奥方に進むにつれ径小となるテーパ雌ねじ形状とし、雄ねじ部（６５２）を該雌ねじ部（６４１）に対応する形状とし、導管部（６５１）を可撓性材料とすることにより、ねじ部（６４１，６５２）の螺合量によって、排出穴（６３１）からの液体排出量を調整可能となる。即ち、ねじ部（６４１，６５２）の螺合量を多くすれば、導管部（６５１）内の流路が狭くなるので、排出穴（６３１）からの排出量は減少し、螺合量を小さくすれば、導管部（６５１）内の流路が広くなり、排出穴（６３１）からの液体排出量が増加するようになる。
【００３６】
図５（ｃ）はチューブ（６４）と図４で示すキャップ部（６３）を用いた形態である。
図５（ｃ）に示すチューブ（６４）はその先端において狭く形成された流路（６４２）を備える。尚、流路（６４２）は円形断面を備えている。チューブ（６４）先端部外周面には、雄ねじ部（６４３）が形成されている。雄ねじ部（６４３）の長さと流路（６４２）の長さは略等しく形成されている。
キャップ部（６３）の構造は図４で示した構造と略同様であるが、内壁面に雌ねじ部（６３２）が形成されている。
キャップ部（６３）の雌ねじ部（６３２）とチューブ（６４）の雄ねじ部（６４３）とが螺合することにより、キャップ部（６３）はチューブ（６４）先端部に接続される。
チューブ（６４）を伝って流下した液体はキャップ部（６３）に形成された排出穴（６３１）から排出され、植物等の対象物に供給される。
尚、キャップ部（６３）の雌ねじ部（６３２）を奥方に進むにつれ径小となるテーパ状に形成し、チューブ（６４）の雄ねじ部（６４３）を雌ねじ部（６３２）に対応するテーパ形状に形成すると、雌ねじ部（６３２）と雄ねじ部（６４３）との螺合量により、排出穴（６３１）からの排出量の調整が可能となる。
即ち、螺合量を大きくすれば、流路（６４２）の径が小さくなり、排出量が低下する。一方、螺合量を小さくすれば、反対に排出量が増加する。
【００３７】
図５（ｄ）は、図５（ｃ）の変更形態を示す図である。
図５（ｄ）に示すキャップ部（６３）の先端の円錐或いは角錐部は中実とされる。そして、排水穴（６３１）が、雌ねじ部（６３２）が形成されている部分に設けられている。キャップ部（６３）内部底部からは、１本の突起部（６３３）が突出し、チューブ（６４）先端部に挿入されている。突起部（６３３）は円錐形状とされ、先端に向かうにつれて細く形成される。その他の構成は図５（ｃ）で示すキャップ部（６３）と同様の構成である。
このように構成された供給手段（６）は、雄ねじ部（６４３）と雌ねじ部（６３２）の螺合を増加させることにより、突起部（６３３）が流路（６４２）内に進入し、流路面積を狭めるので、排出穴（６３１）からの液体排出量が減少する。逆に螺合量を小さくすれば、液体排出量が増加する。
【００３８】
図５（ｅ）は、ニードルバルブ式の排出量制御機能付排出機構をチューブ（６４）先端に取り付けた形態である。
排出機構（６６）は上底部（６６１）と下底部（６６２）を備えるとともに中空に形成された胴体部（６６３）を備える。
胴体部（６６３）周面から外方に管状の接続部（６６４）が突出し、接続部（６６４）はチューブ（６４）に外嵌される。チューブ（６４）を伝って流下した液体は接続部（６６４）を介して胴体部（６６３）内に流入する。
胴体部（６６３）内周面に沿って、管状の絞り部（６６５）が設けられ、絞り部（６６５）は胴体部（６６３）内方に突出している。
絞り部（６６５）中央に形成された開口部には円錐形状の貫入部（６６６）が貫入する。貫入部（６６６）上部からは円柱状の調整部（６６７）が立設し、上底部（６６１）と接続している。調整部（６６７）外周面にはねじ部が形成され、上底部（６６１）中央に設けられた開口部には該ねじ部と噛合うねじ部が形成されている。調整部（６６７）上端には円板状のつまみ（６６８）が設けられ、該つまみを回転させることにより、貫入部（６６６）は上下に移動可能となる。
下底部（６６２）下面からは、下端を鋭角に形成された円錐或いは角錐形状の固定部（６６９）が突出している。固定部（６６９）は内部に管路を備え、該管路は胴体部（６６３）内部の空間と連通している。
固定部（６６９）外周面には、排出穴（６３１）が設けられる。排出穴（６３１）は固定部（６６９）内部の管路と連通する。これにより、チューブ（６４）を伝って流下した液体は、胴体部（６６３）から固定部（６６９）へ至り、排出穴（６３１）から排出される。
調整部（６６７）の回転により、貫入部（６６６）を降下させると、絞り部（６６５）と貫入部（６６６）外周面との間の空間が狭まり、固定部（６６９）へ流れる液体量が減少し、この結果、排出穴（６３１）から排出される液体量が減少する。一方、貫入部（６６６）を上昇させると、反対に排出穴（６３１）から排出される液体量が増加する。
【００３９】
図３に示す液体供給機構（１）において、固定具（７）上方に安定板（７１）及びスペーサ（７２）を配し、液体供給機構（１）と地面との間に空間を形成したが、他の方法によって、空間を設けてもよい。
図６は、図３に示す固定具（７）、安定板（７１）及びスペーサ（７２）に代えて、上方から液体供給機構（１）を吊下げる吊下げ手段を用いた形態を示す図である。その他構成は図３に示す液体供給機構（１）と同様の構成である。図６（ａ）は、貯蔵器（２）に吊下げ手段を用いた形態を示し、図６（ｂ）は受液器（３）に吊下げ手段を用いた形態を示す。
【００４０】
吊下げ手段（７３）は、複数のビス（７３１）とワイヤ（７３２）から構成される。ビス（７３１）上端には輪部が形成され、該輪部（７３１）を介してワイヤ（７３２）が結び付けられる。ワイヤ（７３２）は、例えば木の枝に引掛けられ、液体供給機構（１）が木の枝から吊下げられる。
図６（ａ）において、ビス（７３１）は貯蔵器（２）上面に取り付けられている。図６（ｂ）において、ビス（７３１）は受液器（３）外部上面に取り付けられている。
このような吊下げ手段を用いて、壁面から突出する突出物に引掛けて、液体供給機構（１）を吊下げてもよい。収容部（３１）内部の液体の流出及びその停止を制御する液体流出制御の様々な形態が後述において説明されるが、該液体流出制御機構を利用し、貯蔵器（２）内に洗浄液を収容し、浴室壁面に液体供給機構（１）を吊下げてもよい。
【００４１】
図１乃至図６に示す液体供給機構（１）は地面から直接生える植物に液体、液状薬剤或いは液体肥料を供給するのに好適な形態であるが、本発明においては、これに限らず、鉢やプランタなどの植物育成用容器に植えられた植物に水分供給するのにも用いられる。
図７は、本発明の第２の実施形態を示し、鉢或いはプランタといった植物育成用容器に植えられた植物への水分供給に好適に用いられる液体供給機構（１）の形態である。
図７（ａ）は第２の実施形態の液体供給機構（１）の側方断面図であり、図７（ｂ）は第２の実施形態の液体供給機構（１）を上方から見た図である。尚、図７（ｂ）において、図７（ａ）に示される鉢受皿並びに植物栽培容器は除かれている。
尚、図７に示す液体供給機構（１）の貯蔵器（２）、供給口（３２）、アダプタ部（４）及び接続機構（５）の構成は図１に示す液体供給機構（１）の構成と同様である。これらは、図７中において液体供給機構（１）右方に配置されている。
【００４２】
図７に示す受液器（３）は、貯蔵器（２）が配される部分を除いて、その上面に大きな開口部（３４）を備えている。該開口部（３４）の領域において収容部（３１）は、底面（３１１）と底面（３１１）外縁に沿って立設する縁部（３１２）からなり、皿状に形成される。
尚、開口部（３４）右方の貯蔵器（２）が配設される領域においては、収容部（３１）は貯蔵器（２）を支持するための上板（３５）を備え、該上板（３５）が収容部（３１）上面を覆っている。供給口（３２）は上板（３５）から上方に立設している。
開口部（３４）上方から鉢受皿（３６）が載置され、鉢受皿（３６）上面に植物栽培容器（３７）が載置される。
尚、受液器（３）はその側部下方或いは底面に水抜き用のドレイン弁（３１３）を備えることが好ましい。尚、ドレイン弁（３１３）を接続する管路には軸回りに回転可能に取付けられるエルボ管が用いられることが好ましく、該エルボ管のエルボ部分に蛇腹管が用いられ、その開口端を所望の方向に向けることが可能とされることが更に好ましい。またこのようなドレイン弁（３１３）を用いるときには、供給口（３２）内壁面並びにアダプタ部（４）の管路（４２）外周面にねじ部を設け、上下にアダプタ部（４）下端位置を変更可能とすることが好ましい。
【００４３】
図８は、鉢受皿（３６）の詳細を示す図である。図８（ａ）は鉢受皿（３６）を上方から見た図であり、図８（ｂ）は鉢受皿（３６）の側方断面図である。
鉢受皿（３６）は、その上面を形成する上板（３６１）と上板（３６１）外縁から下方に延設する壁板（３６２）から構成される。
上板（３６１）は平板状であり、その中央部には中央開口部（３６３）を備える。また、上板（３６１）は鉢受皿（３６）上面に沿って摺動可能な摺動扉（３６４）を備える。摺動扉（３６４）が左或いは右に摺動すると、鉢受皿（３６）外縁と中央開口部（３６３）を繋ぐ空間が形成される。
【００４４】
図７に示す如く、壁板（３６２）はアダプタ部（４）下端より高い位置に上板（３６１）がくるような高さとされる。また、壁板（３６２）は少なくとも１つの貫通穴（３６５）を備え、鉢受皿（３６）内部に液体を浸入可能とする。
図８において、鉢受皿（３６）は平面視略矩形とされているが、これに限られるものではなく、楕円、円形など適宜所望の形状を選択可能である。尚、鉢受皿（３６）の形状を収容部（３１）の開口部（３４）内周縁に沿う形状と等しい形状とすると、上面から蚊などの害虫が侵入することが防止され、収容部（３１）内の衛生を好適に保つことができる。
また、鉢受皿（３６）上面に適宜水切り用の小孔や溝などを設けてもよい。或いは鉢受皿（３６）上面を網状に形成してもよい。
【００４５】
植物栽培容器（３７）は、鉢或いはプランタが適宜使用可能である。
植物栽培容器（３７）内には植物育成用の土が収容されている。また植物栽培容器（３７）底面には開口部が設けられ、開口部から下方に紐体（６１）が垂れ下がっている。紐体（６１）上部は植物栽培容器（３７）内の土中に埋め込まれている。
植物栽培容器（３７）が鉢受皿（３６）上に載置されたとき、鉢受皿（３６）の開口部（３６３）を介して、紐体（６１）下端が収容部（３１）内の液体中に漬けられる。紐体（６１）は毛細管現象により液体を上方に吸い上げ、植物栽培容器（３７）内に液体を供給する。
尚、植物栽培容器（３７）を載置するときに摺動扉（３６４）を移動させて、鉢受皿（３６）外縁から中央開口部（３６３）を繋ぐ開口部を形成すると、該開口部を介して紐体（６１）を中央開口部（３６３）内に配置できるので、取扱いが非常に容易となる。
また、鉢受皿（３６）上面は収容部（３１）液面よりも高い位置にあるので、植物栽培容器（３７）に過度の水分が供給されず、植物栽培容器（３７）で栽培される植物の根が腐ることがない。
【００４６】
尚、植物栽培容器（３７）底面には、図９に示すように、網状の支持部材（３７１）を貼着してもよい。そして、紐体（６１）を支持部材（３７１）の格子内に挿入し、支持部材（３７１）上方にある紐体（６１）の外周面から突起部（６１１）を突出させてもよい。このようにすると、突起部（６１１）が支持部材（３７１）の格子に引掛かり、紐体（６１）が植物栽培容器（３７）底面から脱落することが防止される。
更には、紐体（６１）上端部分を水溶性樹脂或いは水溶性粘着剤で硬くすると、植物栽培容器（３７）底面から内部に確実に紐体（６１）上端を挿入可能となる。
【００４７】
図１０は、第３の実施形態を示す。図１０（ａ）は液体供給機構の側部断面図であり、図１０（ｂ）は上方から見た図である。第３の実施形態は、図７乃至図９で示す植物栽培容器（３７）を用いた自動潅水装置としての液体供給機構（１）と略同様の構成であるが、使用用途はペットへの水分供給のために用いられる。第３の実施形態と第２の実施形態との構成の相違は、第３の実施形態が鉢受皿（３６）並びに植物栽培容器（３７）を要していない点並びに液位制御が収容部（３１）内の液面に係る大気圧と貯蔵器（２）内の圧力バランスによらず、浮体を用いて積極的に制御される点である。その他の構成は、図７に示す液体供給機構（１）の構成と同様である。
【００４８】
図１０に示す液体供給機構（１）は、主に貯蔵器（２）と受液器（３）からなる。図１０に示される例において、貯蔵器（２）は右方に配されている。貯蔵器（２）は第２の実施例と同様に開口部を下方に向けて、受液器（３）と接続し、受液器（３）内に液体を供給する。
受液器（３）は、上面に大きな開口部（３４）を備えている。開口部（３４）と隣接して、受液器（３）上面を覆う上板（３５）が備えられる。上板（３５）から筒状の供給口（３２）が上方に立設している。上板（３５）並びに供給口（３２）は貯蔵器（２）を支持する。
また、開口部（３４）の領域は、底面（３１１）と底面（３１１）外縁から立設する縁部（３１２）から構成される。
【００４９】
供給口（３２）を構成する壁面の一部は収容部（３１）内部底面まで延び、該内部底面と接続している。該壁面は、接続機構（５）を支持する支持壁（５３）として機能する。
支持壁（５３）には、回転軸（５３１）が設けられ、回転軸（５３１）に棒状のアーム部（５４）が接続する。アーム部（５４）は回転軸（５３１）を軸として上下に回転可能である。
アーム部（５４）の開口部（３４）の領域にある端部には浮体（５５）が取付けられる。浮体（５５）は使用される液体よりも低い比重を備える。アーム部（５４）他端には、上方に立設する棒状の突起部（５２）が配される。
突起部（５２）上端は貯蔵器（２）に取り付けられたアダプタ部（４）の管路（４２）内に挿入され、管路（４２）内に配された弁体（５１）を、アーム部（５４）の動作に応じて、管路（４２）内で上下に移動させる。
【００５０】
上記構成を備える液体供給機構（１）において、貯蔵器（２）が受液器（３）の供給口（３２）に差し込まれるまでは、弁体（５１）が貯蔵器（２）の液体出口を塞ぎ、液体の漏出を防ぐ。貯蔵器（２）が供給口（３２）に差し込まれ、突起部（５２）が弁体（５１）を押し上げると、貯蔵器（２）から液体がアダプタ部（４）の管路（４２）を介して、受液器（３）内に流下する。受液器（３）の収容部（３１）内の液位の上昇に応じて、浮体（５５）の位置は上昇する一方で、突起部（５２）上端位置は下降する。そして、弁体（５１）はアダプタ部（４）下端に達し、貯蔵器（２）からの液体供給を停止させる。
ペットは、収容部（３１）上面に設けられた開口部（３４）を介して、収容部（３１）内の液体を摂取することが可能となる。液体摂取により、収容部（３１）内の液位が下がると、再び突起部（５２）先端位置は上昇し、弁体（５１）を押し上げ、貯蔵器（２）内の液体を流下させる。このようにして、収容部（３１）内の液位は一定範囲に保たれる。
尚、アダプタ部（４）の下端は、変動する制御液位の上限よりも高い位置に配されることが好ましい。このようにすると、アダプタ部（４）が液面から離れるので、収容部（３１）内の液体が貯蔵器（２）内へ逆流することを防ぐことが可能となる。
尚、ペットへの水供給装置として利用する形態において、浮体（５５）は必須の構成ではなく、収容部（３１）底面から突起部（５２）を上方に向けて突出する形態を採用してもよい。
【００５１】
図１１は、図１０に示す液体供給機構（１）の変更形態を示す。図１１（ａ）は液体供給機構（１）の側部断面図を示し、図１１（ｂ）は液体供給機構（１）を上方から見た図である。
図１１に示す液体供給機構（１）は、図１０に示す液体供給機構（１）の構成に加えて、開口部（３４）の領域内に、浮体（５５）周囲を囲む防波壁（５６）を設けた形態である。
防波壁（５６）は、コ字状に形成された壁であり、その両端は支持壁（５３）から延設している。また、防波壁（５６）の上縁は、制御される液位よりも高い位置にある。また、防波壁（５６）下部には、貯蔵器（２）からの液体が流通可能なように流通穴が適宜設けられる。
防波壁（５６）並びに支持壁（５３）で囲まれる領域内には、浮体（５５）が配設される。
このように防波壁（５６）が、浮体（５５）を取り囲むことによって、ペットが液体を摂取する際に生ずる波によって、浮体（５５）が影響を受けず、貯蔵器（２）からの液体供給が円滑に行われるようになる。
【００５２】
その他の変更形態として、浮体（５５）をアーム部（５４）に沿って移動可能とし、アーム部（５４）上の所望の位置で固定させるものとしてもよい。このようにして、液位の制御特性が所望のものとなるように調整可能となる。例えば、貯蔵器（２）から遠くに配されるアーム部（５４）先端に浮体（５５）を取付けるならば、弁体（５１）の上下動作は緩やかなものとなり、貯蔵器（２）近くのアーム部（５４）途中部で浮体（５５）を固定するならば、弁体（５１）を素早く動作させることが可能となる。
【００５３】
上述の例において、内部をテーパ管状に形成されたアダプタ部（４）と球状の弁体（５１）を用いて説明してきたが、他の形状のアダプタ部（４）並びに弁体（５１）も使用可能である。
図１２は、接続機構（５）の他の形態を示す。図１２（ａ）並びに（ｂ）は、接続機構（５）の変更形態の一例をそれぞれ示し、上図は弁体（５１）が上側位置に配され、貯蔵器（２）からの液体流出が停止された状態を示し、下図は、弁体（５１）が下側位置に配され、貯蔵器（２）からの液体流出が可能とされる状態を示す。
【００５４】
図１２（ａ）に示すように、管路面積が一定の直管状の管路（４２）を備えるアダプタ部（４）も使用可能である。アダプタ部（４）の管路（４２）軸方向に摺動可能な弁体（５１）が、管路（４２）内に配設される。
弁体（５１）は、軸方向断面略Ｉ字形状に形成され、その上下端には、管路（４２）より大きく形成された円板状の頭部（５１１）を備える。上側の頭部（５１１ａ）は管路（４２）の上方に位置し、下側の頭部（５１１ｂ）は管路（４２）の下方に位置する。下側の頭部（５１１ｂ）下面は、アーム部（５４）と接続し、アーム部（５４）の動作によって、弁体（５１）は管路（４２）軸方向に沿って上下に摺動する。
上下の頭部（５１１）の間の弁体胴体部（５１２）は、管路（４２）の長さよりも長く形成されている。下側の頭部（５１１ｂ）が管路（４２）下端と当接したとき、弁体（５１）は上側位置にあり（図１２（ａ）参照）、上側の頭部（５１１ａ）が管路（４２）下端と当接したとき、弁体（５１）は下側位置にある（図１２（ｂ）参照）。
【００５５】
弁体胴体部（５１２）内部は中空に形成されている。また弁体胴体部（５１２）上部周面には上側開口部（５１３）、弁体胴体部（５１２）下部周面には下側開口部（５１４）が形成され、上側開口部（５１３）及び下側開口部（５１４）は弁体胴体部内部の中空部分（５１６）と連通している。
弁体（５１）が上側位置にあるとき、上側開口部（５１３）は、管路（４２）上端より上側に位置し、上側開口部（５１３）を通じて、弁体（５１）内部に液体が供給される。一方、下側開口部（５１４）は管路（４２）内壁面と当接し、弁体（５１）内部に供給された液体は弁体（５１）外部へ流出しない。
弁体（５１）が下側位置にあるとき、上側開口部（５１３）は、管路（４２）内壁面と当接し、弁体（５１）内部への液体流入が停止する。一方で、下側開口部（５１４）は管路（４２）下方に現れ、弁体（５１）内部に流入した液体を排出可能とする。排出された液体は収容部（３１）内へと供給される。
【００５６】
図１２（ｂ）は、図１２（ａ）の弁体（５１）の上側開口部（５１３）、下側開口部（５１４）及び中空部分（５１６）に代えて、断面Ｉ字状の弁体（５１）の弁体胴体部（５１２）周面に溝部（５１５）を形成した形態である。溝部（５１５）は弁体胴体部（５１２）軸方向に沿って延び、弁体が上側位置にあるとき、溝部（５１５）上端部は管路（４２）上方に現れ、溝部（５１５）下端部は管路（４２）内壁面と当接する。貯蔵器（２）内の液体はこのとき溝部（５１５）へ流れ込む。
弁体（５１）が下側位置にあるとき、溝部（５１５）の上端は管路（４２）内壁面と当接する。一方、溝部（５１５）下端は、管路（４２）下方に現れる。このとき溝部（５１５）にある液体が排出される。
図１２で示したような弁体を用いることにより、一定且つ少量の液体を収容部（３１）に供給することが可能となり、より細やかな液位調整が可能となる。
尚、溝部（５１５）において、弁体胴体部（５１２）下端に配される頭部（５１１ｂ）が除去され、弁体胴体部（５１２）を断面略Ｔ字形状に形成してもよい。そして、弁体胴体部（５１２）下端まで溝部（５１５）を伸ばすことで、溝部（５１５）上端が貯蔵器（２）内部に現れているときには、溝部（５１５）下端から液体が流出し続けることとなる。
【００５７】
上述の第１乃至第３の実施形態において、アダプタ部（４）の管路（４２）を貯蔵器（２）から下方に突出させた形態を図示して説明してきたが、管路（４２）を貯蔵器（２）内部に埋設させてもよい。
図１３は、アダプタ部（４）の管路（４２）を貯蔵器（２）内部に埋設した形態を示す図である。図１３（ａ）及び図１３（ｂ）はそれぞれ異なる形態を現わす。
図１３（ａ）に示すアダプタ部（４）は、円板状の円板部（４１１）と円板部（４１１）外縁から上方に突出する円筒形状の円筒部（４１２）からなる取付部（４１）を備える。円筒部（４１２）内周面にはねじ部が形成され、貯蔵器（２）口部外周面に形成されたねじ部と螺合する。該取付部（４１）の構成は、第１乃至第３の実施形態で図示した取付部（４１）の構成と同様である。
円板部（４１１）中央から上方に向かって延出する直管状の直管部（４２１）と下方に向かって延びるテーパ管部（４２２）からなる管路（４２）が円板部（４１１）中央に配設される。
【００５８】
直管部（４２１）の上端は塞がれる一方で、周面に導水穴（４２３）が形成されている。導水穴（４２３）から管路（４２）内へ貯蔵器（２）内の液体が流入する。
弁体（５１）は管路（４２）内に配設され、接続機構（５）の突起部（５２）に押されない状態においては、弁体（５１）はテーパ管部（４２２）内部下端に支持されるとともに貯蔵器（２）内の液体の流出を妨げる。
導水穴（４２３）の大きさは、弁体（５１）の大きさよりも小さく形成され、弁体（５１）が管路（４２）外へ出ることを防止する。
受液器（３）の供給口（３２）に、円筒部（４１２）が外嵌され、貯蔵器（２）は受液器（３）上に固定される。
このように形成されたアダプタ部（４）を用いると、管路（４２）が貯蔵器（２）内部に埋設されるので、受液器（３）上の貯蔵器（２）の配設高さを低減することが可能となる。したがって、液体供給機構（１）の重心高さを下げることができ、液体供給機構（１）の安定性を向上させることが可能となる。
【００５９】
図１３（ｂ）に示すアダプタ部（４）は、取付部（４１）を備えず、直管部（４２１）とテーパ管部（４２２）からなる管路（４２）を備える。貯蔵器（２）口部内周面には、ねじ部が形成されている。また貯蔵器（２）口部外周面は受液器（３）の供給口（３２）内周面に支持されている。
直管部（４２１）は、図１３（ａ）で示す直管部（４２１）の構造と略同様であるが、その外周面にねじ部を備え、貯蔵器（２）口部内周面に形成されたねじ部と螺合することによって、貯蔵器（２）に固定される。
テーパ管部（４２２）外面には、アダプタ部（４）の貯蔵器（２）への取り付け容易性のためにつまみ部（４２４）が設けられ、つまみ部（４２４）を摘んで、アダプタ部（４）を回転させることで、アダプタ部（４）は貯蔵器（２）口部に容易に取付けられる。
【００６０】
図１３（ａ）に示す実施形態において、取付部（４１）の円筒部（４１２）の外周面に一対の突起部（４１３）が示され、図１３（ｂ）に示す実施形態において、貯蔵器（２）口部外周面に一対の突起部（２４）が設けられている。
図１４に、供給口（３２）内壁面の展開図を示し、これら突起部（４１３，２４）と噛合う溝部を示す。
図１３に示す如く、供給口（３２）は直管状に形成され、上方から貯蔵器（２）の開口部を形成するアダプタ部（４）或いは貯蔵器（２）口部が挿入される。
図１４に示すように供給口（３２）内壁面には溝部（３２１）が形成され、溝部（３２１）と突起部（４１３，２４）との噛合いにより、貯蔵器（２）は供給口（３２）に固定される。
溝部（３２１）は、供給口（３２）軸方向に沿って形成される縦溝部（３２２）と周方向に沿って形成される周溝部（３２３）からなる。縦溝部（３２２）の下端は周溝部（３２３）と連結している。
貯蔵器（２）開口部が供給口（３２）に挿入されるときに、突起部（４１３，２４）は縦溝部（３２２）を通る。縦溝部（３２２）の位置は突起部（４１３，２４）の位置に合わせて形成される。
突起部（４１３，２４）が縦溝部（３２２）下端に達すると、貯蔵器（２）はその軸回りに回転され、突起部（４１３，２４）は周溝部（３２３）と通過し、縦溝部（３２２）と突起部（４１３，２４）が一致しない位置で貯蔵器（２）は据付けられる。このようにして、貯蔵器（２）は上下方向に固定される。
尚、このような溝部（３２１）の代わりに、ねじ部が形成され、ねじの螺合によって貯蔵器（２）を固定するものであってもよい。
このように突起部（４１３）あるいはねじ部を形成して供給口（３２）と貯蔵器（２）開口部を接続すると、図１６に関連して説明するようなアダプタ部（４）を使用するときに貯蔵器（２）が上方へ押し上げられることを防止することができる。
【００６１】
図１５に図１３（ａ）で示したアダプタ部（４）の変更形態を示す。図１５に示すアダプタ部は第１アダプタ部（４０）と第２アダプタ部（４００）からなる。
第１アダプタ部（４０）は、円板状の円板部（４３）と円板部（４３）外縁から立設する円筒状の円筒部（４４）を備え、円筒部（４４）内周面にはねじ部が形成されている。該ねじ部は貯蔵器（２）口部外周面に形成されたねじ部と螺合する。また円筒部（４４）外周面には図１３及び図１４に関連して述べられた突起部（４１３）が設けられ、また供給口（３２）内周面には該突起部（４１３）と噛合う溝部（３２１）が形成されている。
円板部（４３）中央からは直管状の直管部（４５）が上方に向かって延出し、直管部（４５）は貯蔵器（２）内部に配設される。直管部（４５）の上端は上底部（４５１）により塞がれている。直管部（４５）周面には一対の第１導水穴（４５２）が形成されている。尚、第１導水穴（４５２）の数は少なくとも１つ設けられていればよく、例えば3以上であってもよい。
【００６２】
第２アダプタ部（４００）は、直管状の直管部（４０１）と下方に向かって管路が狭まるテーパ管状のテーパ管部（４０２）からなる。
直管部（４０１）は第１アダプタ部（４０）の直管部（４５）内に挿入される。第２アダプタ部（４００）の直管部（４０１）は上端を上底部（４０３）により塞がれている。第１アダプタ部（４０）の上底部（４５１）には回転軸（４５０）が設けられ、回転軸（４５０）は第２アダプタ部（４００）の上底部（４０３）と接続する。第２アダプタ部（４００）は回転軸（４５０）により軸回りに回転可能に第１アダプタ部（４０）と接続する。
第２アダプタ部（４００）は、その周面に第２導水穴（４０４）を備え、第２導水穴（４０４）の高さ位置は第１導水穴（４５２）と一致している。
弁体（５１）は第２アダプタ（４００）内部に配設され、接続機構（５）の突起部（５２）に押されない状態において、弁体（５１）は第２アダプタ（４００）のテーパ管路（４０２）下端に位置し、テーパ管路（４０２）を塞ぐ。
【００６３】
図１５に示すアダプタ部（４）を用いる場合において、第１導水路（４５２）と第２導水路（４０４）の位置をずらした状態で、貯蔵器（２）の口部を下方に向ける。このとき第１導水路（４５２）と第２導水路（４０４）は連通しておらず、貯蔵器（２）内部の液体は漏出しない。
この状態で供給口（３２）に貯蔵器（２）口部を挿入する。そして、貯蔵器（２）をその軸回りに回転させ、第１導水穴（４５２）と第２導水穴（４０４）の位置を合わせる。このようにして、第１導水穴（４５２）と第２導水穴（４０４）とが連通することにより、貯蔵器（２）内の液体が受液器（３）内に流出可能とされる。
したがって、図１５に示すようなアダプタ部（４）を用いることにより、貯蔵器（２）口部を下方に向けたときの液体漏出を確実に防止することが可能となる。
【００６４】
図１５に示すアダプタ部（４）が発揮する液体漏出防止機能は、より簡便な構造によっても得ることができる。
図１６は、液体漏出防止機能付アダプタ部（４）の断面図である。図１６に示すアダプタ部（４）は、図１３（ａ）に示すアダプタ部（４）が備える構成に加えて、アダプタ部（４）の直管部（４２１）上端を塞ぐ上底部（４２４）から下方に向かって延設するコイルバネ（４２５）を備える。コイルバネ（４２５）の下端は弁体（５１）と接続する。コイルバネ（４２５）は弁体（５１）を下方に付勢し、弁体（５１）をテーパ管部（４２２）出口部に押付ける。
したがって、弁体（５１）が接続機構（５）の突起部（５２）に押し上げられない状態では、弁体（５１）は確実にアダプタ部（４）内管路を塞ぐことになる。よって、貯蔵器（２）設置時において、貯蔵器（２）口部を下方に向けても貯蔵器（２）内の液体が漏出することがない。
尚、図１６に示すアダプタ部（４）を用いる場合には、弁体（５１）は若干変形可能なゴム等の材料で形成されることが好ましい。このような材料で弁体（５１）が形成されることによって、高いシール性を発揮可能となる。
【００６５】
第１乃至第３の実施形態において、紐体（６１）や収容部（３１）に大きな開口部（３４）を設けて、収容部（３１）外の対象物に液体供給を行う例を示したが、他の方法によっても液体供給を行うことが可能である。
図１７は簡易水道としての使用形態である。図１７に示す液体供給機構（１）は主に、液体を貯蔵する貯蔵器（２）と、貯蔵器（２）から供給される液体を受け、一時的に収容する受液器（３）からなる。貯蔵器（２）と受液器（３）との接続形態は図１６に関連して説明したものと同様である。また、貯蔵器（２）内に貯蔵される液体は水である。
【００６６】
受液器（３）の収容部（３１）側部からは、排出用の管路が延出している。該管路はレギュレータバルブ（３１４）を備える。レギュレータバルブ（３１４）は更にその下流側にエルボ管状の蛇口（３１６）を備え、蛇口（３１６）はその軸回りに回転可能にレギュレータバルブ（３１４）に接続している。レギュレータバルブ（３１４）のハンドルを回すことにより、レギュレータバルブ（３１４）内部の管路断面積が変化し、これにより収容部（３１）から排出される液体流量を調節可能である。
【００６７】
収容部（３１）側部には平板状の固定板（７４）が取り付けられている。固定板（７４）はその面を垂直にして配設されている。固定板（７４）には釘などの固定具（７５）が挿通される。このような固定板（７４）と固定具（７５）で構成される固定手段を用いることで、垂直に立設する任意の壁面に液体供給機構（１）を据付けることが可能となる。したがって、図１７に示すような液体供給機構（１）はキャンプ場など屋外の簡易水道として利用可能となる。あるいは、災害時の簡易水道としても機能しうるものである。尚、固定具（７５）は、釘以外にも、マグネット、吸着板などを用いることが可能である。
【００６８】
図１８は、液体供給機構（１）の他の使用形態を示す図である。図１８に示す液体供給機構（１）は、図１７に示す液体供給機構（１）のレギュレータバルブ（３１４）及び蛇口（３１５）からなる流出制御機構と異なる流出制御機構を備えるが、その他の構成は図１７に示すものと同様である。尚、図１８に示す例においては、貯蔵器（２）内に貯蔵される液体は、洗浄液であり、手洗い用或いは身体洗浄用或いは衣類洗浄用の洗浄液が好適に用いられる。
【００６９】
図１８に示す液体供給機構（１）は収容部（３１）下面から突出する排出管路（３１６）を備える。排出管路（３１６）内には収容部（３１）内に向かって棒状の棒状部（３１７）が配設される。棒状部（３１７）はその途中部に半径方向に突出する円板状の閉鎖部（３１８）を備える。また、棒状部（３１７）上端は、収容部（３１）上面内壁から延出するコイルバネ（３１９）と接続する。
コイルバネ（３１９）は棒状部（３１７）を下方に付勢し、閉鎖部（３１８）は収容部（３１）内側底面に当接し、排出管路（３１６）基端部の開口部を閉鎖する。
このような流出制御機構を備える液体供給機構（１）は、棒状部（３１７）下端を下方から上方に向けて押圧することにより、排出管路（３１６）から収容部（３１）内の液体が排出される。棒状部（３１７）の下方からの押圧を解除すると、棒状部（３１７）はコイルバネ（３１９）により下方に押され、閉鎖部材（３１８）が排出管路（３１６）基端部を塞ぎ、液体の流出が停止する。
尚、棒状部（３１７）上端に棒状のアーム部の一端を取り付け、アーム部の他端を収容部（３１）外部へ突出させるとともに、アーム部を収容部（３１）の壁に取り付けられた回転ピンで回転可能に支持し、アーム部の上下操作によって棒状部（３１７）の上下動作を行う形態であってもよい。このように形成すると、アーム部を上方に動かして、閉鎖部（３１８）を排出管路（３１６）基端部に押付けることで、排出管路（３１６）を閉じることができる。また、アーム部を下方に動かして、閉鎖部（３１８）を排出管路（３１６）基端部から離し、収容部（３１）内の液体を排出管路（３１６）から排出させることができる。
【００７０】
図１９に、図１８で示す流出制御機構の変更形態を示す。図１９に示す流出制御機構は、収容部（３１）下面から下方に突出するとともに下方に向かって狭まるテーパ管状の排出管路（３１６）を備える。排出管路（３１６）壁部には回転軸（３０１）が設けられ、回転軸（３０１）は棒状のアーム部（３０２）を回転可能に支持する。排出管路（３１６）内部には弁体（３０３）が配設される。
アーム部（３０２）の排出管路（３１６）内にある端部は弁体（３０３）と接続し、アーム部（３０２）他端は排出管路（３１６）外部に配される。弁体（３０３）上面からはコイルバネ（３０６）が延設し、コイルバネ（３０６）上端は収容部（３１）内部に水平に延出した支持壁（３０７）と接続している。コイルバネ（３０６）は常に弁体（３０３）を下方に付勢する。
弁体（３０３）の形状は特に限定されないが、コイルバネ（３０６）により下方に付勢され下限位置に達したとき、排出管路（３１６）を閉塞する。下限位置から上方にあるとき排出管路（３１６）管路内を液体が流通可能となる。
排出管路（３１６）外方にあるアーム部（３０２）端部を下方に移動させると、弁体（３０３）は上方に押し上げられる。そして排出管路（３１６）から収容部（３１）内部の液体が排出される。アーム部（３０２）への力を解除すると、コイルバネ（３０６）により、弁体（３０３）は下方に移動し、排出管路（３１６）を閉塞し、排出動作を停止させる。
【００７１】
図２０に他の流出制御機構を示す。図２０に示す流出制御機構は、収容部（３１）下面から突出する排出管路（３１６）と収容部（３１）側面から挿入された回転管路（３０５）からなる。回転管路（３０５）の収容部（３１）内部に配される一端部は開口し、回転管路（３０５）内部に収容部（３１）内の液体が浸入する。回転管路（３０５）の他端は収容部（３１）外部に配され、閉塞している。回転管路（３０５）は収容部（３１）側壁によって回転可能に支持される。
回転管路（３０５）周面には回転開口部（３０４）が形成される。回転開口部（３０４）は回転管路（３０５）軸方向位置において、排出管路（３１６）と位置を同じくする。
回転管路（３０５）をその軸周りに回転させ、回転開口部（３０４）を下方に向けると、該回転開口部（３０４）は排出管路（３１６）基端部の開口部と合致し、回転管路（３０５）内部の液体が排出管路（３１６）を介して収容部（３１）外へ排出される。
【００７２】
図２１は、他の流出制御機構を示す。図２１に示される液体供給機構（１）の流出制御機構は、収容部（３１）下面から下方に延出する排出管路（３１６）及び収容部（３１）内部に形成される内部管路（３０８）を備える。内部管路（３０８）は収容部（３１）側壁から横方向に延出している。また、内部管路（３１６）は、排出管路（３１６）と連通している。内部管路（３０８）は、排出管路（３１６）基端部開口部と内部管路（３０８）軸方向位置を同じくする開口部（３０９）を備える。また、内部管路（３０８）内に棒状の制御棒（３９０）が挿入されている。制御棒（３９０）の内部管路（３０８）内に配される端部には栓部（３９１）が配され、栓部（３９１）外周面全体は内部管路（３０８）内周面と接し、密着する。制御棒（３９０）の他端にはボタン部（３９２）が配設される。ボタン部（３９２）は制御棒（３９０）の収容部（３１）への挿入部分よりも径大に形成されている。
このように形成された制御棒（３９０）はボタン部（３９２）を押すことで、内部管路（３０８）内へ押し込まれる。ボタン部（３９２）は、径大に形成されているので、最大の押し込み位置で収容部（３１）側壁と当接し、制御棒（３９０）のそれ以上の押し込みを防止する。制御棒（３９０）が押し込まれている間、栓部（３９１）は内部管路（３０８）軸方向に沿って摺動する。
内部管路（３０８）の奥方側端部（３９３）と栓部（３９１）との間には、コイルバネ（３９４）が配される。コイルバネ（３９４）は制御棒（３９０）を収容部（３１）外方へ付勢する。
制御棒（３９０）を収容部（３１）内へ押し込む力を解除すると、コイルバネ（３９４）は制御棒（３９０）を収容部（３１）外へ押し出す。制御棒（３９０）が最大限押し出された位置において、栓部（３９１）は収容部（３１）内部側面と当接し、制御棒（３９０）がそれ以上押し出されることを防ぐ。
制御棒（３９０）の最大押出位置において、開口部（３０９）と排出管路（３１６）基端部の開口部は栓部（３９１）によって閉塞される。この状態において、収容部（３１）内の液体は、排出されない。
制御棒（３９０）が押し込まれると、栓部（３９１）は移動し、排出管路（３１６）は開口部（３０９）を介して収容部（３１）内部と連通する。そして、収容部（３１）内部の液体は排出管路（３１６）から排出される。
【００７３】
図２２は図２１で示す流出制御機構の変更形態を示す。
図２２に示す流出制御機構も図２１に示す流出制御機構と同様に収容部（３１）内に内部管路（３０８）を備え、内部管路（３０８）は収容部（３１）下面から下方に向かって延出する排出管路（３１６）と連通している。
内部管路（３０８）は、その奥方側端部（３９３）において開口し、開口部には弁体を備える。また奥方側端部（３９３）においてコイルバネ（３９４）を支持するための壁部が設けられている。
内部管路（３０８）に配される栓部（３９１）は、弁体軸方向に沿って延びる流路（３８０）を備える。奥方側端部（３９３）から内部管路（３０８）内に流入した収容部（３１）内の液体は、流路（３８０）を通って、排出管路（３１６）に至る。
流路（３８０）下流端には、流路（３８０）を塞ぐ弁体（３８１）が配設される。
栓部（３９１）が最大押出位置にあるとき、弁体（３８１）は収容部（３１）側壁と栓部（３９１）下流側の面に挟まれ、流路（３８０）を確実に閉鎖する。これにより、液体は流路（３８０）を通過できず、排出管路（３１６）から液体は流出しない。
栓部（３９１）が押し込まれると、弁体（３８１）は開き、液体は流路（３８０）を通り、排出管路（３１６）から流出する。
【００７４】
図２３は他の流出制御機構を示す。
図２３に示す流出制御機構は、収容部（３１）下面に設けられた開口部（３８２）と、開口部（３８２）に回転可能に取付けられる球体部（３８３）からなる。球体部（３８３）は球体形状であり、その中心点を中心として回転する。
球体部（３８３）の回転に伴い、収容部（３１）内部にあった球体部（３８３）の面が収容部（３１）外に現れたとき、該球体部（３８３）の面には収容部（３１）に付着している。液体が塗布される対象物を球体部（３８３）に接触させて、球体部（３８３）を回転させることにより、対象物には液体が塗布される。
図２３に示される流出制御機構には、比較的粘度の大きな液体、例えば、液状糊などを用いることが好ましい。
【００７５】
図２４は、上記のような流出制御機構を利用した液体供給機構（１）の使用形態を示す。図２４に示す液体供給機構（１）は、炭酸飲料を供給するジュースサーバとして使用される。
液体供給機構（１）は、貯蔵器（２）を備える。貯蔵器（２）内部には、炭酸飲料が貯蔵されている。貯蔵器（２）は口部を下方に向けて配される。貯蔵器（２）口部には、図１５を用いて説明したアダプタ部（４）が取り付けられ、貯蔵器（２）開口部を構成している。貯蔵器（２）開口部は受液器（３）の供給口（３２）に挿入され、貯蔵器（２）は、受液器（３）上に固定されている。
受液器（３）の収容部（３１）内には、図２０を用いて示した流出制御機構が配設され、回転管路（３０５）をその軸周りに回転させることで、収容部（３１）内の液体の流出が制御される。収容部（３１）下面から下方に突出する排出管路（３１６）下方にはコップが配され、排出管路（３１６）から流下する炭酸飲料を受ける。
【００７６】
収容部（３１）上方且つ貯蔵器（２）胴体部下方には平板状の水滴受け皿（９０）が配設される。水滴受け皿（９０）は、貯蔵器（２）胴体部断面積より広く形成され、貯蔵器（２）胴体部壁面に付着した水滴を受け、液体供給機構（１）周囲が滴下する水滴によって汚染されることを防止する。また水滴受け皿（９０）はその一部に開口部（９１）を備え、開口部（９１）を介して、その下方に形成される水溜め部（９２）内に水滴を落とすことを可能とする。
【００７７】
貯蔵器（２）内に炭酸飲料が配されるとき、貯蔵器（２）内部の圧力が炭酸ガスにより高まることがある。この圧力により、収容部（３１）内に過剰の液体が供給されることがあるため、図２４に示す液体供給機構（１）は次のような空気穴構造を備える。
収容部（３１）上面に形成される空気穴（３３）は、収容部（３１）上面から上方に立設する管状の部分である。管状の空気穴（３３）上部周面には小孔（３３１）が形成されている。
小孔（３３１）より下方の空気穴（３３）途中部には膜状弁（３３２）が配される。膜状弁（３３２）は一端部を固定され、他端は膜状弁（３３２）が水平となる位置からその下方に傾斜する位置を可動域としている。膜状弁（３３２）が水平となった状態で、膜状弁（３３２）は空気穴（３３）を塞ぐ。
このように膜状弁（３３２）を備えることによって、過剰に収容部（３１）内に液体が供給された場合であっても、膜状弁（３３２）を塞ぐので、空気穴から液体が噴出することがない。
尚、上記のようにジュースサーバとして用いる場合、受液器（３）側面から車内の飲料用ボトル設置具に取り付け可能なように取り付け部分を構成してもよい。
【００７８】
図２５は、灯油を他の容器に移し替える使用形態を示す。
図２５において、貯蔵器（２）下方側面から可撓性管路（２３０）が用いられている。図２５において可撓性管路（２３０）に蛇腹管が用いられている。貯蔵器（２）内には灯油が貯蔵されている。
可撓性管路（２３０）先端には、弁体（５１）を収容する空間が設けられ、該空間先端側は、テーパ形状に形成されている。
貯蔵器（２）下方には、貯蔵器（２）に収容された灯油を受ける第２容器（１０００）が載置される。第２容器（１０００）の受け口（１００１）には突起部（５２）を備える受け皿（１００２）が配設される。
可撓性管路（２３０）を受け皿に据付けると突起部（５２）が弁体（５１）を押し上げ、可撓性管路（２３０）先端出口を開く。貯蔵器（２）内の灯油は第２容器（１０００）内に流れ込み、灯油の移し変えが行われる。
尚、可撓性管路（２３０）基端部付近には、図２４に関連して説明された空気穴と略同じ構造の筒状の空気穴（３３）が用いられている。このように可撓性管路（２３０）基端部付近に空気穴（３３）を設けることで、灯油供給時の管路内を流れる灯油の脈動を低減できる。
図２５に示す如く、空気穴（３３）下端部は可撓性管路（２３０）内に突出している。可撓性管路（２３０）下端部において、貯蔵器（２）側が深く、下流側が短く突出するように斜めに切断された形状となっている。このように空気穴（３３）下端形状を構成することで、灯油供給終了時に可撓性管路（２３０）を第２容器（１０００）から取外したときの灯油の逆流を防止することができる。
【００７９】
本発明に係る液体供給機構（１）は、水、洗浄液、飲料を供給するものに限られるものではなく、液体調味料を供給するものとしても活用可能であり、貯蔵器（２）内に収容される液体の種類の変更によって、様々な使用形態を採用可能である。
また上記図示例において、単一の貯蔵器（２）を用いて説明してきたが、複数の貯蔵器（２）を載置可能なように、受液器（３）に複数の供給口（３２）を用いてもよい。
【産業上の利用可能性】
【００８０】
本発明は、植物への灌水、ペットへの水分供給、身体或いは風呂場等の屋内を洗浄するための洗浄液及び醤油やソースといった液体調味料の供給を行う液体供給機構に好適に適用される。
【図面の簡単な説明】
【００８１】
【図１】本発明に係る液体供給機構の第１の実施形態であり、植物用潅水装置として用いる形態を示す図である。
【図２】図１に示す液体供給機構の変更例を示す図である。
【図３】図１に示す液体供給機構の他の変更例を示す図である。
【図４】図１に示す液体供給機構に用いられた供給手段の変更形態を示す図である。（ａ）は分解正面図であり、（ｂ）は供給手段先端方向から見た図である。
【図５】図３で示す液体供給機構で用いられる管状の供給機構の形態を示し、（ａ）乃至（ｅ）はそれぞれ異なる形態を示している。
【図６】図３に示す固定具、安定板及びスペーサに代えて、上方から液体供給機構を吊下げる吊下げ手段を用いた形態を示す図である。（ａ）は、貯蔵器に吊下げ手段を用いた形態を示し、（ｂ）は受液器に吊下げ手段を用いた形態を示す。
【図７】本発明の第２の実施形態を示す図である。（ａ）は第２の実施形態の液体供給機構の側方断面図であり、（ｂ）は第２の実施形態の液体供給機構を上方から見た図である。
【図８】鉢受皿の詳細図である。（ａ）は鉢受皿を上方から見た図であり、（ｂ）は鉢受皿の側方断面図である。
【図９】紐体の取付形態の一例を示す図である。
【図１０】第３の実施形態を示す図である。（ａ）は第３の実施形態に係る液体供給機構の側部断面図であり、（ｂ）は第３の実施形態に係る液体供給機構を上方から見た図である。
【図１１】第３の実施形態の変更例を示す図である。（ａ）は、該変更例に係る液体供給機構の側部断面図であり、（ｂ）は変更例に係る液体供給機構を上方から見た図である。
【図１２】接続機構の他の形態を示す。（ａ）並びに（ｂ）は、接続機構の変更形態の一例をそれぞれ示す図である。
【図１３】アダプタ部の管路を貯蔵器内部に埋設した形態を示す図である。（ａ）は埋設型アダプタの一つの実施形態を示し、（ｂ）は他の実施形態を示す。
【図１４】供給口内壁面側の展開図である。
【図１５】図１３（ａ）で示したアダプタ部の変更形態を示す。
【図１６】液体漏出防止機能付アダプタ部の断面図である。
【図１７】液体供給機構の使用形態の一例を示す図である。
【図１８】液体供給機構の使用形態の他の例を示す図である。
【図１９】流出制御機構の使用形態の他の例を示す図である。
【図２０】流出制御機構の使用形態の他の例を示す図である。
【図２１】流出制御機構の使用形態の他の例を示す図である。
【図２２】流出制御機構の使用形態の他の例を示す図である。
【図２３】流出制御機構の使用形態の他の例を示す図である。
【図２４】液体供給機構の使用形態の他の例を示す図である。
【図２５】液体供給機構の他の使用形態の他の例を示す図である。
【図２６】従来の液体供給機構を示す図である。
【符号の説明】
【００８２】
１・・・・・液体供給機構
２・・・・・貯蔵器
２２・・・・固定具
２３・・・・管路
２４・・・・突起部
３・・・・・受液器
３１・・・・収容部
３１１・・・底面
３１２・・・縁部
３２・・・・供給口
３３・・・・空気穴
３６・・・・鉢受皿
３６３・・・中央開口部
３６４・・・摺動扉
３７・・・・植物栽培容器
４・・・・・アダプタ部
４０・・・・第1アダプタ部
４００・・・第２アダプタ部
４０２・・・テーパ管部
４０４・・・第２導水路
４１３・・・突起部
４５２・・・第1導水穴
５・・・・・接続機構
５１・・・・弁体
５１１・・・頭部
５１３・・・上側開口部
５１４・・・下側開口部
５１５・・・溝部
５１６・・・中空部
５２・・・・突起部
５３１・・・回転軸
５４・・・・アーム部
５５・・・・浮体
６・・・・・供給手段
６１・・・・紐体
６２・・・・被覆部
６３・・・・キャップ部
６３１・・・排出穴
６３２・・・雌ねじ部
６３３・・・突起部
６４・・・・チューブ
６４１・・・雌ねじ部
６４３・・・雄ねじ部
６５・・・・プラグ部
６５１・・・導水管
６５２・・・雄ねじ部
６５３・・・固定ヘッド部
６６・・・・排出機構
６６１・・・上底部
６６２・・・下底部
６６３・・・胴体部
６６４・・・接続部
６６５・・・絞り部
６６６・・・貫入部
６６７・・・調整部
６６９・・・固定部
７・・・・・固定具
【図１】
2006311866.tif 000003
【図２】
2006311866.tif 000004
【図３】
2006311866.tif 000005
【図４】
2006311866.tif 000006
【図５】
2006311866.tif 000007
【図６】
2006311866.tif 000008
【図７】
2006311866.tif 000009
【図８】
2006311866.tif 000010
【図９】
2006311866.tif 000011
【図１０】
2006311866.tif 000012
【図１１】
2006311866.tif 000013
【図１２】
2006311866.tif 000014
【図１３】
2006311866.tif 000015
【図１４】
2006311866.tif 000016
【図１５】
2006311866.tif 000017
【図１６】
2006311866.tif 000018
【図１７】
2006311866.tif 000019
【図１８】
2006311866.tif 000020
【図１９】
2006311866.tif 000021
【図２０】
2006311866.tif 000022
【図２１】
2006311866.tif 000023
【図２２】
2006311866.tif 000024
【図２３】
2006311866.tif 000025
【図２４】
2006311866.tif 000026
【図２５】
2006311866.tif 000027
【図２６】
2006311866.tif 000028